(57)【要約】【課題】回転寿司、学校、飲食店、自衛隊など大量に箸を使う厨房作業の省力化を図ることが出来る。本発明は箸の前（先）後（頭）を簡単に揃えるための装置である。【解決手段】箸を上部台へ並べ（１Ｄ）にスタンド式は足でペダル（２Ａ）を踏みバランスシャフト（５Ａ）上がって箸をアンバランスにして落下口（１ＤＡ）から収納ケース（８Ｂ）がへ一方向に箸を揃えることが出来る装置である。卓上式はバランスシャフト（５Ａ）で本体ケース上部（９）の中央に箸を並べバランスシャフト（５Ａ）をハンドレバー（５Ｃ）を上げ箸をアンバランスにして落下口（１ＤＡ）から収納ケース（１３）へ一方向に箸を揃えることが出来る装置である。【選択図】図１
2014156342.tif 000002
【特許請求の範囲】
【請求項１】
スタンド式上部台中央に並べられた箸の二等分の中心をバランスシャフトが持ち上げて箸の太い頭側からバランスを崩して左右の箸収納ケースへ確実に揃えることが出来る装置である。
【請求項２】
卓上式式上部台中央に並べられた箸の二等分の中心をバランスシャフトが持ち上げて箸の太い頭側からバランスを崩して左右の箸収納ケースへ確実に揃えることが出来る装置である。
【発明の詳細な説明】
【技術分野】
【０００１】  本発明は箸の前（先）後（頭）を簡単に揃えることが出来るスタンド式、卓上式の装置である。
【背景技術】
【０００２】  従来は使用済箸を回収すると箸の前（先）後（頭）が不揃いで目視しながら手先で揃え直すことが一般的であった。
【先行技術文献】
【特許文献】
【０００３】
【特許文献１】  特開２０１０−２９５３０公報
【特許文献２】  特開２０１０−３６９５０公報
【発明の概要】
【発明が解決しようとする課題】
【０００４】  従来ホテルや食堂、回転寿司店、自衛隊、学校など大量の箸を人手に頼って処理していたのが実情であった。本発明は上記事情を鑑みてなされた箸を整列する装置である。
【課題を解決するための手段】
【０００５】本発明を使用するときは
スタンド式は箸長さ移動ガード（６Ａ）と箸横幅止めガード（７Ａ）内に並べた不揃いの箸を足踏みペダル（２Ａ）を踏んでペダル動作板（３Ａ）からバランスシャフト止め板（４Ａ）に付けたバランスシャフト（５Ａ）が上がり上部台に並べられた箸が中央を持ち上げられ箸の太い頭側から左右の箸落下口（１ＤＡ）のスロープ（８Ｂ）に滑って箸の太い頭側を一方向に確実に揃う装置である。
卓上式は箸長さ移動ガード（６Ａ）と箸横幅止めガード（７Ａ）内に並べた不揃いの箸をハンドレバー（５Ｃ）を持ち上げてバランスシャフト（５Ａ）が箸の並べれた中央を持ち上げ太い頭側を下向きに左右の箸落下口（１ＤＡ）のスロープケース（１２）に滑って箸の太い頭側を一方向に箸収納ケース（１３）に確実に揃う装置である。
【発明の効果】
【０００６】  従来回収に無秩序に大量に集められた箸を目視しながら手先で箸の前（先）後（頭）を揃えることは大変だった。本発明はスタンド式、卓上式共に箸を一定の向きに揃えることが出来る構造の装置である。
【図面の簡単な説明】
【０００７】
【図１】  本発明の斜視図である（スタンド式）
【図２】  本発明正面図である
【図３】  本発明の下部台（スタンド式用）
【図４】  本発明の卓上式本体
【図５】  足踏みペダル（スタンド式用）
【図６】  ペダル動作伝達板（スタンド式用）
【図７】  バランスシャフト止め板（スタンド式用）
【図８】  バランスシャフト（スタンド式、卓上式共用）
【図９】  箸長さ移動ガード（スタンド式、卓上式共用）
【図１０】  箸横幅止めガード（スタンド式、卓上式共用）
【図１１】  箸落下スロープケース（スタンド式用）
【図１２】  ビス、ワッシャ、ナット（スタンド式、卓上式共用）
【図１３】  ハンドレバー（卓上式用）
【図１４】  卓上式スロープケース
【図１５】  卓上式箸収納ケース
【図１６】  蝶ネジ
【発明を実施するための形態】
【０００８】  以下  本発明の実施形態について説明する
スタンド式は下部台（１Ａ）上部台（１Ｄ）を左右上下のへそ（１Ｂ、１ＤＦ）に繋ぎ（１Ｃ）設け繋ぎ柱（１Ｃ）の上部台（１Ｄ）を設け矩形状の上部台（１Ｄ）の左右２ヶ所に箸落下口（１ＤＡ）左右の外側に箸の長さ移動ガード（６Ａ）を蝶ネジ（１１）で左右に取り付け上部台（１Ｄ）の横幅の両端の４ヵ所に箸の横幅止めガード（７Ａ）の取り付け穴（７Ｂ）で上部台（１Ｄ）へビス（１０Ａ）ワッシャ（１０Ｂ）ナット（１０Ｃ）で取り付け箸横幅止めガード（７Ａ）の中間にバランスシャフト（５Ａ）を設け下部台ペダル取り付け穴（２Ｂ）にビス（１０Ａ）ワッシャ（１０Ｂ）ナット（１０Ｃ）足踏みペダル（２Ａ）をペダル動作伝達板（３Ａ）にビス（１０Ａ）ワッシャ（１０Ｂ）ナット（１０Ｃ）取り付けバランスシャフト止め板（４Ａ）をペダル動作伝達板（３Ａ）の繋ぎ穴（４Ｂ）へ、バランスシャフト止め板（４Ａ）のペダル動作繋ぎ穴（４Ｂ）をビス（１０Ａ）ワッシャ（１０Ｂ）ナット（１０Ｃ）で取り付けバランスシャフト止め板（４Ａ）の両端のバランスシャフト止め穴（５Ｂ）へ上部台（１Ｄ）のバランスシャフト取り付け穴（１ＤＤ）から下のバランスシャフト止め板（４Ａ）の両端バランスシャフト止め穴（５Ｂ）にワッシャ（１０Ｂ）ナット（１０Ｃ）で付け箸落下スロープケース（８Ｂ）をスロープケース取付け穴（８Ａ）にビス（１０Ａ）ワッシャ（１０Ｂ）ナット（１０Ｃ）で取り付けた箸の前後を揃える装置である。
請求項２の卓上式は本体ケース（９）の中央の下側にハンドルレバー（５Ｃ）を設け本体ケース（９）の上部の左右の２ヶ所に箸落下口（１０ＤＡ）を設け本体ケース（９）上部の中央にバランスシャフト（５Ａ）取り付け穴を設けハンドレバー（５Ｃ）にバランスシャフト（５Ａ）の取り付け穴（７Ｂ）を設けハンドルレバー（５Ｃ）にバランスシャフト（５Ａ）をワッシャ（１０Ｂ）ナット（１０Ｃ）で取り付け本体ケース（９）に上部左右に箸長さ移動ガード（６Ａ）を蝶ネジ（１１）で取り付け本体ケース（９）に箸横幅止めガード（７Ａ）を左右４ヵ所にビス（１０Ａ）ワッシャ（１０Ｂ）ナット（１０Ｃ）で取り付け本体ケースの箸落下口（１ＤＡ）の下側の左右に２ヶ所に箸落下口スロープケース（１２）へ箸収納ケース（１３）を設けた箸の前後を揃える装置である。
【符号の説明】
【０００９】１Ａ      下部台
１Ｂ      へそ（１Ｃ繋ぎ用）
１Ｃ      下部台（１Ａ）と上部台（１Ｄ）を繋ぎ柱
１Ｄ      上部台
１ＤＡ    箸落下口
１ＤＢ    バランスシャフト  開口部
１ＤＣ    箸長さ移動ガード取り付け穴
１ＤＤ    上部台バランスシャフト取り付け穴
１ＤＥ    箸横幅止めガード取り付け穴
１ＤＦ    上部台へそ
１ＤＧ    箸落下スロープ取り付け穴
２Ａ      足踏みペダル
２Ｂ      下部台ペダル繋ぎ穴
３Ａ      ペダル動作伝達版
３Ｂ      足踏みペダル繋ぎ穴
４Ａ      バランスシャフト止め板
４Ｂ      ペダル動作伝達板繋ぎ穴
５Ａ      バランスシャフト
５Ｂ      バランスシャフト止め穴（スタンド用）
５Ｃ      ハンドレバー（卓上用）
６Ａ      箸長さ移動用ガード
６Ｂ      １Ｄ取り付け穴
７Ａ      箸横幅止めガード
７Ｂ      ７Ａ取り付け穴
８Ａ      スロープケース取付け穴
８Ｂ      箸落下スロープケース
９        卓上式本体ケース
１０Ａ    ビス
１０Ｂ    ワッシャー
１０Ｃ    ナット
１１      蝶ネジ
１２      卓上式箸落下スロープケース
１３      卓上式箸収納ケース
【図１】
2014156342.tif 000003
【図２】
2014156342.tif 000004
【図３】
2014156342.tif 000005
【図４】
2014156342.tif 000006
【図５】
2014156342.tif 000007
【図６】
2014156342.tif 000008
【図７】
2014156342.tif 000009
【図８】
2014156342.tif 000010
【図９】
2014156342.tif 000011
【図１０】
2014156342.tif 000012
【図１１】
2014156342.tif 000013
【図１２】
2014156342.tif 000014
【図１３】
2014156342.tif 000015
【図１４】
2014156342.tif 000016
【図１５】
2014156342.tif 000017
【図１６】
2014156342.tif 000018